(57)【特許請求の範囲】
【請求項１】
給水と加熱された湯を貯留する貯湯タンクと、増設タンクと、前記貯湯タンクに給水する給水配管と、前記貯湯タンクに接続された送水配管と、前記送水配管と接続され前記送水配管により送水された前記貯湯タンクの水を加熱する加熱源と、前記加熱源と前記貯湯タンクを接続し沸かし上げられた湯を前記貯湯タンクに送る沸上配管と、前記貯湯タンクからの湯を給湯口に給湯する給湯配管と、を備えた給湯システムにおいて、
前記増設タンクから給湯する増設タンク給湯配管と、該増設タンクへ沸かし上げた湯を送る増設タンク沸上配管とを合流させ、１本の増設タンク頂部配管として該増設タンクの頂部へ連結させ、
前記貯湯タンクから前記増設タンクへ給水する配管と、該増設タンクから前記加熱源へ送水する配管とを合流させ、１本の増設タンク下部配管として該増設タンクの底部へ連結させたことを特徴とする給湯システム。
【請求項２】
前記増設タンク沸上配管は前記沸上配管から分岐しており、その分岐箇所に、湯の送湯先を前記貯湯タンク、又は増設タンクに切り替える沸上切替弁を有し、
前記増設タンク給湯配管は前記給湯配管から分岐しており、その分岐箇所に、湯の供給元を前記貯湯タンク、又は増設タンクに切り替える給湯切替弁を有することを特徴とする請求項１に記載の給湯システム。
【請求項３】
前記給水配管と増設タンク下部配管とを接続する第２下部配管をさらに備え、
前記送水配管の水が前記貯湯タンクに流れないようにする貯湯タンク逆止弁を該送水配管に有し、
前記増設タンク下部配管の水が前記増設タンクに流れないようにする増設タンク逆止弁を該増設タンク下部配管に有することを特徴とする請求項２に記載の給湯システム。
【請求項４】
前記給水配管と増設タンク下部配管とを接続する第２下部配管をさらに備え、
前記増設タンク給湯配管は前記給湯配管から分岐しており、その分岐箇所に、湯の供給元を前記貯湯タンク、又は増設タンクに切り替える給湯切替弁を有し、
前記増設タンク下部配管は前記送水配管から分岐しており、その分岐箇所に、前記加熱源に送水する水の供給元を前記貯湯タンク、又は増設タンクに切り替える送水切替弁を有することを特徴とする請求項１に記載の給湯システム。
【発明の詳細な説明】
【技術分野】
【０００１】
本発明は、貯湯タンクと増設タンクを備える給湯システムに関する。
【背景技術】
【０００２】
従来から、ヒートポンプにより水を沸かし、貯湯タンクに溜めた湯をカランや食洗機等の湯使用端末に供給する給湯システムがある。従来の給湯システムの一例について図４を参照して説明する。図４は、給湯システムの構成を示す。給湯システム１０１は、給水された水と沸かし上げられた湯を貯湯する貯湯タンク１０２と、第１増設タンク１０３ａと第２増設タンク１０３ｂとからなる増設タンク１０３と、貯湯タンク１０２及び第１増設タンク１０３ａの上部を配管１６４ａ及び１６７を介して接続する切替弁１０８と、この切替弁１０８と給湯口とを繋ぐ配管１６４ｂと、給水を加熱する加熱源１０４とシステム全体の動作を制御する制御部１０５と、を備える。貯湯タンク１０２は、下部において給水を供給する配管１６１と繋がれ、また、配管１６２ａ及び１６２ｂによって加熱源１０４と繋がれている。第１増設タンク１０３ａの底部と第２増設タンク１０３ｂの頂部は、配管１６９によって繋がれており、第２増設タンク１０３ｂの底部は配管１６８、１６２ｂによって加熱源１０４と繋がっている。加熱源１０４の湯取り出し口は、配管１６３によって配管１６４ｂと繋がっている。
【０００３】
貯湯タンク１０２の湯を給湯するときは、制御部１０５は切替弁１０８を貯湯タンク１０２側に切り替える。給湯口が開かれると配管１６１から給水が貯湯タンク１０２の底部に入り、給水圧によって貯湯タンク２の頂部の湯が配管１６４ａ、１６４ｂを経由して給湯される。増設タンク１０３の湯を給湯するときは、制御部１０５は切替弁１０８を増設タンク１０３側に切り替える。給湯口が開かれると配管１６１から給水が貯湯タンク１０２の底部に入り、配管１６２ａ、１６８を経由して第２増設タンク１０３ｂの底部に入り、配管１６９によって繋がれた第１増設タンク１０３ａの頂部の湯が給水圧によって、配管１６７、１６４ｂを経由して給湯される。
【０００４】
貯湯タンク１０２の湯を沸かし上げるときは、制御部１０５は切替弁１０８を貯湯タンク１０２側に切り替え、加熱源１０４に内蔵された送湯ポンプにより、貯湯タンク１０２底部の水を吸引し、加熱して配管１６３、１６４ｂ、１６４ａを経由して貯湯タンク１０２の頂部に送湯する。増設タンク１０３の湯を沸かし上げるときは、制御部１０５は切替弁１０８を増設タンク１０３側に切り替え、加熱源１０４に内蔵された送湯ポンプにより、第２増設タンク１０３ｂの底部の水を吸引し、加熱して配管１６３、１６４ｂ、１６７を経由して第１増設タンク１０３ａの頂部に送湯する。
【０００５】
しかしながら、上述した給湯システム１０１においては、加熱源１０４により給水を沸かし上げながら貯湯タンク１０２、又は増設タンク１０３に貯湯された湯を給湯する場合には、給湯を行う配管１６４ｂと沸かし上げた湯を送る配管１６３とが配管途中で合流するために、沸かし上げの経路が給湯用の配管のバイパス経路となる。そのため、加熱源１０４によって調整可能な範囲以上の流量が流れ、沸かし上げ温度が低下し、その結果温度低下した湯が給湯される。また、給湯の配管と沸かし上げの配管が同一であるので、貯湯タンク１０２と増設タンク１０３との内の一方のタンクから給湯しながら、他方のタンクの水を沸かし上げることが出来ない。
【０００６】
また、貯湯タンクと増設タンクを備え、それぞれのタンクの上部に出湯するための配管と沸かし上げられた湯を入れるための配管を配設し、下部に給水を入れるための配管と加熱源に給水を送るための配管を配設した給湯システムが知られている（例えば、特許文献１参照）。貯湯タンクと増設タンクのそれぞれが、湯と水の出入の為の配管を別個に有しているので、一方のタンクの湯を給湯しながら他方のタンクの水を沸かし上げることができ、給湯している湯温が低下することもない。
【０００７】
しかしながら、特許文献１に示されるような給湯システムにおいては、タンクに配設される配管が多いために給湯システムの設置時の施工性が悪い。また、貯湯タンクと増設タンクとへの給水配管が切替弁によって接続されており、一方のタンクにしか給水圧が掛からないので、両方のタンクの湯を同時に給湯することができない。
【特許文献１】特開平６−２２１６７３号公報
【発明の開示】
【発明が解決しようとする課題】
【０００８】
本発明は、上記従来の問題を解決するためになされたものであり、沸かし上げ時に給湯しても給湯する湯の温度が低下せず、また、給湯するタンクと沸かし上げるタンクを別にすることができ、かつ、設置時の施工性が良い給湯システムを提供することを目的とする。
【課題を解決するための手段】
【０００９】
上記目的を達成するために請求項１の発明は、給水と加熱された湯を貯留する貯湯タンクと、増設タンクと、前記貯湯タンクに給水する給水配管と、前記貯湯タンクに接続された送水配管と、前記送水配管と接続され前記送水配管により送水された前記貯湯タンクの水を加熱する加熱源と、前記加熱源と前記貯湯タンクを接続し沸かし上げられた湯を前記貯湯タンクに送る沸上配管と、前記貯湯タンクからの湯を給湯口に給湯する給湯配管と、を備えた給湯システムにおいて、前記増設タンクから給湯する増設タンク給湯配管と、該増設タンクへ沸かし上げた湯を送る増設タンク沸上配管とを合流させ、１本の増設タンク頂部配管として該増設タンクの頂部へ連結させ、前記貯湯タンクから前記増設タンクへ給水する配管と、該増設タンクから前記加熱源へ送水する配管とを合流させ、１本の増設タンク下部配管として該増設タンクの底部へ連結させたものである。
【００１０】
請求項２の発明は、請求項１に記載の給湯システムにおいて、前記増設タンク沸上配管は前記沸上配管から分岐しており、その分岐箇所に、湯の送湯先を前記貯湯タンク、又は増設タンクに切り替える沸上切替弁を有し、前記増設タンク給湯配管は前記給湯配管から分岐しており、その分岐箇所に、湯の供給元を前記貯湯タンク、又は増設タンクに切り替える給湯切替弁を有するものである。
【００１１】
請求項３の発明は、請求項２に記載の給湯システムにおいて、前記給水配管と増設タンク下部配管とを接続する第２下部配管をさらに備え、前記送水配管の水が前記貯湯タンクに流れないようにする貯湯タンク逆止弁を該送水配管に有し、前記増設タンク下部配管の水が前記増設タンクに流れないようにする増設タンク逆止弁を該増設タンク下部配管に有するものである。
【００１２】
請求項４の発明は、請求項１に記載の給湯システムにおいて、前記給水配管と増設タンク下部配管とを接続する第２下部配管をさらに備え、前記増設タンク給湯配管は前記給湯配管から分岐しており、その分岐箇所に、湯の供給元を前記貯湯タンク、又は増設タンクに切り替える給湯切替弁を有し、前記増設タンク下部配管は前記送水配管から分岐しており、その分岐箇所に、前記加熱源に送水する水の供給元を前記貯湯タンク、又は増設タンクに切り替える送水切替弁を有するものである。
【発明の効果】
【００１３】
請求項１の発明によれば、増設タンクの頂部に接続される配管と、底部に接続される配管とが１本ずつであり、配管の本数が少ないので給湯システムの設置時の施工性が良い。また、沸かし上げの経路と給湯の経路が分離されるので、沸かし上げ時に給湯しても給湯する湯の温度が低下せず、給湯するタンクと沸かし上げるタンクを別にすることができる。
【００１４】
請求項２の発明によれば、貯湯タンク及び増設タンクに常に給水圧が掛かるので、両方のタンクの湯を同時に給湯することができる。
【００１５】
請求項３の発明によれば、貯湯タンクの底部から加熱源への配管と、増設タンクへの給水の配管を兼用せずに分離している。このことにより、貯湯タンクから加熱源への水と、増設タンクへの給水とが混合されないので、貯湯タンクの水を沸かし上げた湯の温度が変動しない。
【００１６】
請求項４の発明によれば、貯湯タンクの底部から加熱源への配管と、増設タンクへの給水の配管を兼用せずに分離しているので、請求項３と同等の効果を得ることができる。
【発明を実施するための最良の形態】
【００１７】
（第１の実施形態）
本発明の第１の実施形態に係る給湯システムについて図面を参照して説明する。図１（ａ）は、給湯システムの構成を示す。給湯システム１は、給水と加熱された湯を貯湯する貯湯タンク２と、第１増設タンク３ａ、第２増設タンク３ｂよりなる増設タンク３と、給水を加熱するヒートポンプである加熱源４と、給湯システム１全体を制御する制御部５と、を備えている。貯湯タンク２は、底部において給水配管６１と繋がり、給水を受けて水を貯留する。加熱源４は貯湯タンク２の底部と、配管６２ａ、６２ｂよりなる送水配管６２によって繋がっており、内蔵する送湯ポンプによって、貯湯タンク２の底部の水を吸引して加熱する。加熱源４の湯取り出し口は、配管６３ａ、６３ｂ、６３ｃよりなる沸上配管６３によって貯湯タンク２の頂部に繋がっている。貯湯タンク２の頂部は、また、配管６４ａ、６４ｂよりなる給湯配管６４により高温給湯口へ繋がっている。沸上配管６３は、沸上切替弁８ａによって増設タンク沸上配管６５に分岐している。沸上切替弁８ａは、沸かし上げられた湯の送湯先を貯湯タンク２側と増設タンク沸上配管６５側とに切り替える。また、給湯配管６４は、給湯切替弁８ｂによって増設タンク給湯配管６６に分岐している。給湯切替弁８ｂは、高温給湯口への給湯元を、貯湯タンク２側と増設タンク３側とに切り替える。増設タンク給湯配管６６と増設タンク沸上配管６５とは、合流して１本の増設タンク頂部配管６７となり、第１増設タンク３ａの頂部に連結している。
【００１８】
貯湯タンク２から第２増設タンク３ｂへ給水する配管と、第２増設タンク３ｂから加熱源４へ送水する配管とは、合流して１本の増設タンク下部配管６８となり、第２増設タンク３ｂの底部に連結している。第２増設タンク３ｂの頂部は、配管６９によって第１増設タンク３ａの底部と繋がっている。沸上配管６３は、切替弁８ｃにおいて貯湯タンク２の中層部に繋がる配管７０に分岐している。切替弁８ｃは、沸かし上げられた湯の送湯先を配管６３ｂ側と貯湯タンク２の中層部側とに切り替える。貯湯タンク２の中層部は、配管７１ａ、７１ｂ、７１ｃよりなる中温湯給湯配管７１によって中温給湯口に繋がっている。中温湯給湯配管７１は、切替弁８ｄにおいて給湯配管６４に繋がる配管７２に分岐し、混合弁８ｅにおいて給水配管６１に繋がる配管７３に分岐している。切替弁８ｄは、中温給湯口への供給元を、配管７１ａ側と配管７２側とに切り替える。
【００１９】
次に上記のように構成された給湯システム１において、貯湯タンク２の湯を給湯する動作と、増設タンク３の湯を沸かし上げる動作について説明する。制御部５は、沸上切替弁８ａを増設タンク沸上配管６５側に切り替え、給湯切替弁８ｂを貯湯タンク２側に切り替え、切替弁８ｃを配管６３ｂ側に切り替える。高温給湯口が開かれると、実線で示す経路Ｌ１に示されるように、給水圧により給水が給水配管６１から貯湯タンク２の底部に入り、貯湯タンク２中の湯が押し上げられ、頂部の湯が給湯配管６４を通って高温給湯口から給湯される。増設タンク３の湯を沸かし上げるときは、制御部５は、１点鎖線で示す経路Ｌ２に示されるように、第２増設タンク３ｂの底部の水を、加熱源４の送湯ポンプによって増設タンク下部配管６８を経由して加熱源４に吸引して加熱し、配管６３ａ、６３ｂ、増設タンク沸上配管６５、及び増設タンク頂部配管６７を経由して第１増設タンク３ａの頂部へ送る。
【００２０】
また、貯湯タンク２の中層部の中温湯を給湯するときは、制御部５は切替弁８ｄを配管７１ａ側に切り替え、混合弁８ｅによって中温湯と水との混合比率を調整する。中温給湯口が開かれると、２点鎖線で示す経路Ｌ３に示されるように、給水圧により給水が給水配管６１から貯湯タンク２の底部に入り、貯湯タンク２の中層部の湯が中温湯給湯配管７１を通って中温給湯口から給湯される。貯湯タンク２の中層部に中温湯が無いときには、制御部５は、切替弁８ｄを配管７２側に切り替えて、貯湯タンク２の頂部の高温湯と給水とを混合弁８ｅによって混合して給湯する。
【００２１】
次に、増設タンク３の湯を給湯する動作と、貯湯タンク２の湯を沸かし上げる動作について図１（ｂ）を参照して説明する。制御部５は、沸上切替弁８ａを貯湯タンク２側に切り替え、給湯切替弁８ｂを増設タンク３側に切り替え、切替弁８ｃを配管６３ｂ側に切り替える。高温給湯口が開かれると、実線で示す経路Ｍ１に示されるように、給水圧により給水が給水配管６１から貯湯タンク２の底部に入り、配管６２ａ、増設タンク下部配管６８を経由して第２増設タンク３ｂの底部に入り、第２増設タンク３ｂ、第１増設タンク３ａの湯が押し上げられ、増設タンク頂部配管６７、増設タンク給湯配管６６、配管６４ｂを通って高温給湯口から給湯される。貯湯タンク２の湯を沸かし上げるときは、制御部５は、１点鎖線で示す経路Ｍ２に示されるように、貯湯タンク２の底部の水を、加熱源４の送湯ポンプによって送水配管６２を経由して加熱源４に吸引して加熱し、沸上配管６３を経由して貯湯タンク２の頂部へ送る。
【００２２】
また、貯湯タンク２の中層部の中温湯を給湯については、２点鎖線で示す経路Ｍ３に示されるように、上述した図１（ａ）における給湯システム１と同様に行なう。
【００２３】
給湯システム１を上述した構成にすることにより、第１増設タンク３ａの頂部に接続される配管と、第２増設タンク３ｂの底部に接続される配管とが１本ずつであり、配管の本数が少ないので、給湯システム１の設置時の施工性が良い。また、沸かし上げの経路と給湯の経路が分離されるので、沸かし上げ時に給湯しても給湯される湯の温度が低下せず、また、給湯するタンクと沸かし上げるタンクを別にすることができる。また、貯湯タンク２及び増設タンク３に常に給水圧が掛かり、両方のタンクの湯を同時に給湯することができるので、貯湯タンク２、又は増設タンク３の頂部の湯を高温給湯口から給湯しながら、貯湯タンク２の中層部の中温湯を中温給湯口から給湯することができる。
【００２４】
（第２の実施形態）
本発明の第２の実施形態に係る給湯システムについて図面を参照して説明する。図２（ａ）は、給湯システムの構成を示す。第２の実施形態においては、第１の実施形態と異なり、給水配管６１と増設タンク下部配管６８とを繋ぐ第２下部配管７３と、送水配管６２の水が貯湯タンク２へ流れないようにする貯湯タンク逆止弁８ｆと、増設タンク下部配管６８の水が増設タンク３ｂへ流れないようにする増設タンク逆止弁８ｇと、を備える。
【００２５】
次に、上記のように構成された給湯システム１において、貯湯タンク２の湯を給湯する動作と、増設タンク３の湯を沸かし上げる動作について説明する。制御部５は、第１の実施形態と同様に沸上切替弁８ａを増設タンク沸上配管６５側に切り替え、給湯切替弁８ｂを貯湯タンク２側に切り替え、切替弁８ｃを配管６３ｂ側に切り替える。高温給湯口が開かれると、実線で示す経路Ｎ１に示されるように、第１の実施形態と同様の経路により給湯される。増設タンク３の湯を沸かし上げるときは、制御部５は、１点鎖線で示す経路Ｎ２に示されるように、第１の実施形態と同様の経路により、第２増設タンク３ｂの底部の水を、沸かし上げて第１増設タンク３ａの頂部へ送る。また、貯湯タンク２の中層部の中温湯を給湯するときも、２点鎖線で示す経路Ｎ３に示されるように、第１の実施形態と同様に行なう。
【００２６】
次に増設タンク３の湯を給湯する動作と、貯湯タンク２の湯を沸かし上げる動作について図２（ｂ）を参照して説明する。制御部５は、第１の実施形態と同様に沸上切替弁８ａを貯湯タンク２側に切り替え、給湯切替弁８ｂを増設タンク３側に切り替え、切替弁８ｃを配管６３ｂ側に切り替える。高温給湯口が開かれると、実線で示す経路Ｐ１に示されるように、給水圧により給水が給水配管６１から第２下部配管７３、増設タンク下部配管６８を経由して第２増設タンク３ｂの底部に入り、第２増設タンク３ｂ、第１増設タンク３ａの湯が押し上げられ、増設タンク頂部配管６７、増設タンク給湯配管６６、配管６４ｂを通って高温給湯口から給湯される。第１の実施形態と異なり、給水が貯湯タンク２の底部を経由しない。
【００２７】
貯湯タンク２の湯を沸かし上げるときは、制御部５は、１点鎖線で示す経路Ｐ２に示されるように、第１の実施形態と同様の経路により、貯湯タンク２の底部の水を沸かし上げて貯湯タンク２の頂部へ送る。また、貯湯タンク２の中層部の中温湯を給湯するときも、２点鎖線で示す経路Ｐ３に示されるように、第１の実施形態と同様に行なう。
【００２８】
給湯システム１を上述した構成にすることにより、貯湯タンク２の底部から加熱源４への配管と、第２増設タンク３ｂへの給水の配管とを兼用せずに分離することができる。このことにより、貯湯タンク２の水を沸かし上げながら増設タンク３の湯を給湯するときに、貯湯タンク２から加熱源４への水と、第２増設タンク３ｂへの給水とが混合されないので、貯湯タンク２の水を沸かし上げた湯の温度が変動しない。
【００２９】
（第３の実施形態）
本発明の第３の実施形態に係る給湯システムについて図面を参照して説明する。図３（ａ）は、給湯システムの構成を示す。第３の実施形態においては、第１の実施形態と異なり、給水配管６１と増設タンク下部配管６８とを繋ぐ第２下部配管７３を備え、また、送水配管６２と増設タンク下部配管６８との合流箇所に、加熱源４に送水する水の供給元を貯湯タンク２、又は第２増設タンク３ｂに切り替える送水切替弁８ｊを備える。また、沸上配管６３から増設タンク沸上配管６５への分岐点に配された沸上切替弁８ａに代えて、貯湯タンク２の頂部の湯が沸上配管６３へ流れないように、逆止弁８ｈを配管６３ｃに備える。
【００３０】
次に、上記のように構成された給湯システム１において、貯湯タンク２の湯を給湯する動作と、増設タンク３の湯を沸かし上げる動作について説明する。制御部５は、給湯切替弁８ｂを貯湯タンク２側に切り替え、切替弁８ｃを配管６３ｂ側に切り替え、送水切替弁８ｊを増設タンク下部配管６８側に切り替える。高温給湯口が開かれると、実線で示す経路Ｑ１に示されるように、第１の実施形態と同様の経路により給湯される。増設タンク３の湯を沸かし上げるときは、制御部５は、１点鎖線で示す経路Ｑ２に示されるように、第１の実施形態と同様の経路により、第２増設タンク３ｂの底部の水を、沸かし上げて第１増設タンク３ａの頂部へ送る。また、貯湯タンク２の中層部の中温湯を給湯するときも、２点鎖線で示す経路Ｑ３に示されるように、第１の実施形態と同様に行なう。
【００３１】
次に、増設タンク３の湯を給湯する動作と、貯湯タンク２の湯を沸かし上げる動作について図３（ｂ）を参照して説明する。制御部５は、給湯切替弁８ｂを増設タンク３側に切り替え、切替弁８ｃを配管６３ｂ側に切り替え、送水切替弁８ｊを貯湯タンク２側に切り替える。高温給湯口が開かれると、実線で示す経路Ｒ１に示されるように、給水圧により給水が給水配管６１から第２下部配管７３、増設タンク下部配管６８を経由して第２増設タンク３ｂの底部に入り、第２増設タンク３ｂ、第１増設タンク３ａの湯が押し上げられ、増設タンク頂部配管６７、増設タンク給湯配管６６、配管６４ｂを通って高温給湯口から給湯される。第１の実施形態と異なり、給水が貯湯タンク２の底部を経由しない。
【００３２】
貯湯タンク２の湯を沸かし上げるときは、制御部５は、１点鎖線で示す経路Ｒ２に示されるように、第１の実施形態と同様に貯湯タンク２の底部の水を沸かし上げて貯湯タンク２の頂部へ送る。また、貯湯タンク２の中層部の中温湯を給湯するときも、２点鎖線で示す経路Ｐ３に示されるように、第１の実施形態と同様に行なう。
【００３３】
給湯システム１を上述した構成にすることより、第２の実施形態と同様に、貯湯タンク２の底部から加熱源４への配管と、第２増設タンク３ｂへの給水の配管とを兼用せずに分離することができる。このことにより、貯湯タンク２の水を沸かし上げながら増設タンク３の湯を給湯するときに、貯湯タンク２から加熱源４への水と、第２増設タンク３ｂへの給水とが混合されないので、貯湯タンク２の水を沸かし上げた湯の温度が変動しない。
【００３４】
なお、本発明は、上記各種実施形態の構成に限られず、発明の趣旨を変更しない範囲で種々の変形が可能である。例えば、加熱源４はヒートポンプに限らずに、燃焼式の湯沸器でもよい。また、タンク頂部とは、タンクの頂点部分だけでなく、タンクの上部全体を含み、タンク底部とは、タンクの底面部分だけでなく、タンクの下部全体を含む。
【図面の簡単な説明】
【００３５】
【図１】（ａ）は本発明の第１の実施形態に係る給湯システムにおいて貯湯タンクの湯を給湯し、増設タンクの湯を沸かし上げる状態の構成図、（ｂ）は同システムにおいて貯湯タンクの湯を沸かし上げ、増設タンクの湯を給湯する状態の構成図。
【図２】（ａ）は本発明の第２の実施形態に係る給湯システムにおいて貯湯タンクの湯を給湯し、増設タンクの湯を沸かし上げる状態の構成図、（ｂ）は同システムにおいて貯湯タンクの湯を沸かし上げ、増設タンクの湯を給湯する状態の構成図。
【図３】（ａ）は本発明の第３の実施形態に係る給湯システムにおいて貯湯タンクの湯を給湯し、増設タンクの湯を沸かし上げる状態の構成図、（ｂ）は同システムにおいて貯湯タンクの湯を沸かし上げ、増設タンクの湯を給湯する状態の構成図。
【図４】従来の給湯システムの構成図。
【符号の説明】
【００３６】
１  給湯システム
２  貯湯タンク
３  増設タンク
４  加熱源
６１  給水配管
６２  送水配管
６３  沸上配管
６４  給湯配管
６５  増設タンク沸上配管
６６  増設タンク給湯配管
６７  増設タンク頂部配管
６８  増設タンク下部配管
７３  第２下部配管
８ａ  沸上切替弁
８ｂ  給湯切替弁
８ｆ  貯湯タンク逆止弁
８ｇ  増設タンク逆止弁
８ｊ  送水切替弁
【図１】
0004830994.tif 000002
【図２】
0004830994.tif 000003
【図３】
0004830994.tif 000004
【図４】
0004830994.tif 000005